(57)【要約】【課題】共同住宅において、エアコン室外機を廊下側に配置する場合、専用の設置スペースを設けなければならず非効率であり、さらにエアコン室外機自体が共用廊下を通行する人の視線に入ってしまい、美観上好ましくなかった。また、エアコン室外機から排気される生暖かい空気が、廊下を歩く通行人の顔に吹き付けられたりして、通行人が不快に感じることも多々あった。【解決手段】メータボックス２０内部にエアコン室外機４１を収納し、前記メータボックス２０の正面の上部、若しくは下部、若しくは上下部両方にエアコン室外機４１の排気用、若しくは吸気用のガラリ２０Ｄ・２０Ｆを設けた。【選択図】図２
2006038403.tif 000002
【特許請求の範囲】
【請求項１】
水道やガス等の使用量を計測して表示するメータを収納するメータボックスであって、メータボックス内部にエアコン室外機を収納することを特徴とするメータボックス。
【請求項２】
前記メータボックス内にエアコン室外機設置用棚を設けたことを特徴とする請求項１に記載のメータボックス。
【請求項３】
前記メータボックス内に配置するメータの下方、若しくは上方、若しくは側方に前記エアコン室外機が配設されることを特徴とする請求項１または請求項２に記載のメータボックス。
【請求項４】
前記メータボックスの正面の上部、若しくは下部、若しくは上下部両方にエアコン室外機の排気用、若しくは吸気用のガラリを設けたことを特徴とする請求項１乃至請求項３に記載のメータボックス。
【発明の詳細な説明】
【技術分野】
【０００１】
本発明は、主に水道やガス等の使用量を計測して表示するメータを収納するメータボックス、より詳しくは、従来から住人や建築業者が設置場所に悩んでいたエアコン室外機を収納できるメータボックスの技術に関する。
【背景技術】
【０００２】
従来、共同住宅においては、エアコン室外機をベランダに設置することが多かったが、近年では、ベランダの外観が悪くなってしまうことや、自由に使えるベランダのスペースをもっと広くしたいといった要望が多く聞こえるようになってきた。そこで、共同住宅においては、居室のためのエアコン室外機は共用廊下側に設置されるようになった。
しかし、共同住宅では、防災上、法令上の見地から、現状のままで共用廊下にエアコン室外機等の固定物を設置することを認めていない場合が多い。そこで、エアコン室外機を共用廊下の居室側に設置する場合は、図４に示すように、エアコン室外機１４１のために居室側にスペースを割く（居室を居室方向に凹ませる）必要があった。そのため、ドア５１の左右にメータボックス１２０用のスペースとエアコン室外機１４１用のスペースの２箇所を設けている場合が多かった。
【０００３】
また、図５に示すように、共用廊下側に居室がある場合は、廊下側の外壁の窓下にエアコン室外機１４１を設置可能な凹所を設けたりして、エアコン室外機１４１を配設していた。
そこで、現在では、居室を凹ますことがないように、廊下スラブ及び廊下外壁の一部を外方に向けて拡幅して張り出し部を設け、該張り出し部に廊下側居室のエアコン室外機１４１を設置する技術等が公知となっている（例えば、特許文献１参照。）。
【特許文献１】特開平１０−１５３００１号公報
【発明の開示】
【発明が解決しようとする課題】
【０００４】
しかし、図４のように、居室側にスペースを設けると、居室の一部の部屋（図４においては「寝室」部分）を、平面視において綺麗な矩形に設計することが出来ない。
また、図５のような設置方法を選んでも、居室の一部の部屋を、側面視において綺麗な矩形に出来ない。特に鉄骨造で外壁が乾式の場合には、図５のような鉄筋コンクリート造りの納まりにするのは困難である。
また、廊下を外方に拡張する場合には、共同住宅の外周自体をエアコン室外機の設置のためだけに変形させることになり、土地の有効活用の見地から考えても好ましくない。そして、何よりエアコン室外機の設置のためだけに、建築コストが大幅に上昇してしまうという不具合がある。
そして、上記の従来例のいずれの場合においても、エアコン室外機自体が共用廊下を通行する人の視線に入ってしまうため、美観上好ましくないという点が挙げられる。また、エアコン室外機から排気される生暖かい空気が、廊下を歩く通行人の顔に吹き付けられたりして、通行人が不快に感じることも多々あった。
【課題を解決するための手段】
【０００５】
本発明の解決しようとする課題は以上の如くであり、次にこの課題を解決するための手段を説明する。
【０００６】
即ち、請求項１においては、水道やガス等の使用量を計測して表示するメータを収納するメータボックスであって、メータボックス内部にエアコン室外機を収納するものである。
【０００７】
請求項２においては、前記メータボックス内にエアコン室外機設置用棚を設けたものである。
【０００８】
請求項３においては、前記メータボックス内に配置するメータの下方、若しくは上方、若しくは側方に前記エアコン室外機が配設されるものである。
【０００９】
請求項４においては、前記メータボックスの正面の上部、若しくは下部、若しくは上下部両方にエアコン室外機の排気用、若しくは吸気用のガラリを設けたものである。
【発明の効果】
【００１０】
本発明の効果として、以下に示すような効果を奏する。
【００１１】
請求項１においては、外部からエアコン室外機が見えなくなり、美観上好ましいものとなる。また、従来エアコン室外機を配設するために、居室を凹ましていたが、本発明のように構成することで、居室の部屋のプランが綺麗な矩形となり、居室の使用価値が向上する。
【００１２】
請求項２においては、エアコン室外機設置棚２９の上方にメータ２３・２４を、下方にエアコン室外機４１を配設することが可能となり、逆にエアコン室外機設置棚２９の上方にエアコン室外機４１を、下方にメータ２３・２４を配設することが可能となる。そのため、ベランダにエアコン室外機４１を配設する必要がなくなり、ベランダのスペースを広げることができる。その結果、ベランダにフラワーボックス等を配置するガーデンスペースを設けたり、ベランダに椅子を置いたりすることできる。また、エアコン室外機置き場として、廊下の壁面を居室側に凹ませる必要がなくなり、居室が綺麗な矩形に設計できるようになった。また、特許文献１に記述のように、廊下を外側に拡張してエアコン室外機を配設する場合に比べて、建物自体を外部に凸型となるように設計する必要がないため、建築コストを増加させなくても良くなった。
【００１３】
請求項３においては、メータボックス内のメータが配置されない空間となる上部、若しくは下部、若しくは側部にエアコン室外機を配設するので、メータボックス内の残ったスペースを有効に利用することができ、水道やガス等のメータ等の検針の邪魔にならない。
【００１４】
請求項４においては、従来のエアコン室外機が有する吸気力と排気力のままで、エアコン室外機をメータボックス内に配設できる。また、エアコン室外機から排気される生暖かい風が、メータボックスの前を通る人の顔などに吹き付けられて、通行人が不快な思いをすることがないようにできる。
【発明を実施するための最良の形態】
【００１５】
次に、発明の実施の形態を説明する。
図１は本発明の実施の一形態である共同住宅の居室と廊下１５を示す一部断面平面図、図２は本発明の一形態であるメータボックス２０の一部断面側面図、図３は本発明の別実施例を示すメータボックス２０Ａの一部断面側面図、図４は従来の共同住宅の居室と廊下１５を示す一部断面平面図、図５は従来の共同住宅の居室と廊下１５を示す一部断面側面図である。
【００１６】
図１に示すように、共同住宅のそれぞれの居室には、ドア５１の横に水道やガスの使用量を計測し表示するためのメータ２３・２４（図２参照）と、そのメータ２３・２４を収納するメータボックス２０が配設されている。メータボックス２０の配設方法は、それぞれの居室のメータボックス２０を１つずつ独立させて、ぞれぞれの居室のドア５１の右側や左側に配設しても良いが、図１に示すように、隣の居室のメータボックス２０と一体化させてできるだけ省スペース化を図っても良い。
【００１７】
図２に示すように、メータボックス２０は、その内部に、建物外部に配設されているガス本管および水道本管等から延びる一次側配管２１、２２を通す略四角柱状のものである。メータボックス２０は、予め箱型ユニットに構成しておいて、共同住宅の建設中に、メータボックス２０の配設のために予めドア５１の側方に形成された凹型スペースに後付けする構成としても良い。
【００１８】
メータボックス２０には、図２に示すように、各階に対応した位置にその階の居室用ガスメータ２３、水道メータ２４およびガス湯沸器２５、そしてエアコン室外機４１が内蔵されている。ガスメータ２３および水道メータ２４の流体流入口には、一次側配管２１・２２が接続され、流出口には居室側へ延びる配管２６・２７が接続されている。配管２６・２７の途中には、ガス湯沸器２５のガス供給口および給水口に連結される分岐管２６Ａ・２７Ａが接続されている。ガス湯沸器２５の給湯口（流出口）には、配管２８が接続されている。
【００１９】
配管２６・２７・２８は、廊下１５の天井裏に達する高さまで上方に延び、そこで居室内部の方向に向かって折れ曲がって水平方向に延び、居室側からも、居室内のガスや水道や給湯等の設備機器、つまりバスルームやキッチンやトイレ等から、ガス配管１６、水道配管１７および給湯配管１８が天井内部を通ってメータボックス２０側に延びてきている。これらの居室側の配管１６・１７・１８は、予め工場等で共同住宅の居室用に組立てられたものであったり、また時には居室ユニットに組付けられたものであり、その先端はメータボックス２０との境界部分で止まっている。
【００２０】
メータボックス２０の配管２６・２７・２８および居室側の配管１６・１７・１８は、可撓性を有する継手３１・３２・３３で相互に接続されている。これらの配管１６・１７・１８、２６・２７・２８および継手３１・３２・３３により、メータボックス２０から居室内のガス、水道、給湯等の設備機器まで延びる二次側配管が形成されている。
【００２１】
なお、メータボックス２０の正面（廊下１５）側には、扉２０Ｂが開閉自在に設けられている。この扉２０Ｂを開放すれば、メータボックス２０内のガスメータ２３および水道メータ２４の検針が可能となっている。
ここで、本実施例では、配管を通す部位として天井１４内部を採用したが、配管を通す部位は天井１４内に限らず床下でもよく、これらの一方のみならず両方を用いてもよい。
また、本実施例ではメータボックス２０内に配設するメータをガスメータ２３と水道メータ２４としたが、これらのメータ２３・２４の替わりに電気メータを配設するように構成しても良いし、これらのメータ２３・２４と電気メータをメータボックス２０内に配設するようにしても良い。
【００２２】
メータボックス２０内には、図２に示すように、仕切り棚２９が水平に設けられており、前記ガスメータ２３や水道メータ２４は仕切り棚２９の下方に配設され、仕切り棚２９の上方にはエアコン室外機４１が配設されている。本実施例のように、配管を通す部位を天井１４内部とし、仕切り棚２９の下方にメータ２３・２４を配設する場合は、仕切り棚２９には、前記配管２６・２７・２８を貫通させる孔４６・４７・４８が設けられている。
居室内には、例えば寝室やダイニングルーム等に、エアコン室内機４２（図１参照）が備えられている。そして、メータボックス２０内に配設されたエアコン室外機４１と居室内に配設されたエアコン室内機４２をつなぐ冷媒管４３、及び室内機４２において結露した結露水を流すドレンパイプ４４が、天井１４内部及びメータボックス２０内部に設けられている。
【００２３】
前記仕切り棚２９は、空気を自由に通すような台、例えばグレーチング等の形状に構成された台としている。このように、仕切り棚２９をグレーチング等の形状の台に構成することにより、エアコン室外機４１を上方に保持しつつ、エアコン室外機４１の吸気若しくは排気された空気が、仕切り棚２９の上下を自由に行き来できるようになる。
そして、メータボックス２０の扉２０Ｂには、扉２０Ｂの上部、すなわちメータボックス２０の上側に配設されたエアコン室外機４１に対向する部分にガラリ２０Ｃが設けられており、エアコン室外機４１の排気若しくは吸気をスムーズに行えるようにしている。また、扉２０Ｂの下部、すなわちメータボックス２０の下側に配設されたガスメータ２３や水道メータ２４に対向する部分にもガラリＤが設けられており、エアコン室外機４１の吸気若しくは排気をスムーズに行えるようにしている。
本実施例のように、エアコン室外機４１を仕切り棚２９の上方に配設する場合は、図２に示すように、ガラリ２０Ｃはエアコン室外機４１からの排気が上向きに排気されるように構成し、ガラリ２０Ｄはエアコン室外機４１の吸気が下側から行われるように構成するものとする。これによって、通路を歩いている人の顔などにエアコン室外機４１からの生暖かい排気が吹き付けられることを防ぐ。
【００２４】
このように、メータボックス２０内部にエアコン室外機４１を収納したので、
外部からエアコン室外機４１が見えなくなり、美観上好ましいものとなる。また、従来エアコン室外機４１を配設するために、居室を凹ましていたが、本発明のように構成することで、居室の部屋のプランが綺麗な矩形となり、居室の使用価値が向上する。
【００２５】
また、前記メータボックス内にエアコン室外機設置用棚２９を設けたので、
エアコン室外機設置棚２９の上方にメータ２３・２４を、下方にエアコン室外機４１を配設することが可能となり、逆にエアコン室外機設置棚２９の上方にエアコン室外機４１を、下方にメータ類２３・２４を配設することが可能となる。そのため、ベランダにエアコン室外機４１を配設する必要がなくなり、ベランダのスペースを広げることができる。その結果、ベランダにフラワーボックス等を配置するガーデンスペースを設けたり、ベランダに椅子を置いたりすることができる。また、エアコン室外機４１置き場として、廊下の壁面を居室側に凹ませる必要がなくなり、居室が綺麗な矩形に設計できるようになった。また、特許文献１に記述のように、廊下を外側に拡張してエアコン室外機を配設する場合に比べて、建物自体を外部に凸型となるように設計する必要がないため、建築コストを増加させなくても良くなった。
【００２６】
次に、本発明の別実施例として、仕切り棚２９の下方にエアコン室外機４１を配設する場合について説明する。
仕切り棚２９の下方にエアコン室外機４１を配設する場合は、図３に示すように、ガスメータ２３と水道メータ２４とガス湯沸器２５が、仕切り棚２９の上方に配設されることになる。この場合は、仕切り棚２９には、冷媒管４３及びドレンパイプ４４を貫通させる孔５３と、建物外部に配設されているガス本管および水道本管等から延びる一次側配管２１、２２を通す６１・６２が設けられている。
なお、本別実施例では、前述同様にメータボックス２０Ａ内に仕切り棚２９を設ける構成としたが、メータボックス２０Ａの上部にメータ２３・２４のように軽い装置を配設する場合には、仕切り棚２９を設けずにメータ２３・２４を側方から支持するような構成としても良い。
【００２７】
本別実施例では、メータボックス２０Ａの扉２０Ｅには、扉２０Ｅの下部、すなわちメータボックス２０Ａの下側に配設されたエアコン室外機４１に対向する部分にガラリ２０Ｆが設けられており、エアコン室外機４１の排気若しくは吸気をスムーズに行えるようにしている。また、扉２０Ｅの上部、すなわちメータボックス２０Ａの上側に配設されたガスメータ２３や水道メータ２４に対向する部分にもガラリＧが設けられており、エアコン室外機４１の吸気若しくは排気をスムーズに行えるようにしている。
本実施例のように、エアコン室外機４１を仕切り棚２９の上方に配設する場合は、図２に示すように、ガラリ２０Ｆはエアコン室外機４１からの排気若しくは吸気が下向きに排気されるように構成し、ガラリ２０Ｇはエアコン室外機４１の吸気若しくは排気が上側から行われるように構成するものとする。これによって、通路を歩いている人の顔などにエアコン室外機４１からの生暖かい排気が吹き付けられることを防ぐ。
【００２８】
また、メータボックス２０の正面（廊下１５）側の扉２０Ｅが開閉自在に設けられている。この扉２０Ｅを開放すれば、メータボックス２０内のガスメータ２３および水道メータ２４の検針が可能となっている。
ここで、本実施例では、前述同様、配管を通す部位として天井１４内部を採用したが、配管を通す部位は天井１４内に限らず床下でもよく、これらの一方のみならず両方を用いてもよい。
【００２９】
更に、別実施例として、メータボックス２０内に仕切り棚２９を設けずに、メータボックス２０の正面視において、左側にエアコン室外機４１を、右側にガスメータ２３と水道メータ２４とガス湯沸器２５を配設する構成にしても良い。その場合は、エアコン室外機４１とメータ２３・２４との配設の仕方は、左右を逆にしたもの、すなわちメータボックス２０の正面視において、左側にガスメータ２３と水道メータ２４とガス給湯器２５を、右側にエアコン室外機４１を配設しても良い。
【００３０】
また、前記メータボックス２０内に配置するメータの下方、若しくは上方、若しくは側方に前記エアコン室外機４１が配設されるので、
メータボックス２０内のメータ２３・２４が配置されない空間となる上部、若しくは下部、若しくは側部にエアコン室外機４１を配設するので、メータボックス２０内の残ったスペースを有効に利用することができ、水道やガス等のメータ２３・２４等の検針の邪魔にならない。
【００３１】
また、前記メータボックス２０の正面の上部、若しくは下部、若しくは上下部両方にエアコン室外機４１の排気用、若しくは吸気用のガラリ２０Ｄ・２０Ｆを設けたので、
従来のエアコン室外機４１が有する吸気力と排気力のままで、エアコン室外機４１をメータボックス２０内に配設できる。また、エアコン室外機４１から排気される生暖かい風が、メータボックス２０の前を通る人の顔などに吹き付けられて、通行人が不快な思いをすることがないようにできる。
【図面の簡単な説明】
【００３２】
【図１】本発明の実施の一形態である共同住宅の居室と廊下１５を示す一部断面平面図。
【図２】本発明の一形態であるメータボックス２０の一部断面側面図。
【図３】本発明の別実施例を示すメータボックス２０Ａの一部断面側面図。
【図４】従来の共同住宅の居室と廊下１５を示す一部断面平面図。
【図５】従来の共同住宅の居室と廊下１５を示す一部断面側面図。
【符号の説明】
【００３３】
２０    メータボックス
２０Ａ    メータボックス
２０Ｄ    ガラリ
２０Ｆ    ガラリ
２３    ガスメータ
２４    水道メータ
２９    仕切り棚
４１    エアコン室外機
【図１】
2006038403.tif 000003
【図２】
2006038403.tif 000004
【図３】
2006038403.tif 000005
【図４】
2006038403.tif 000006
【図５】
2006038403.tif 000007